(57)【要約】      （修正有）【課題】部品の種類を減少させつつ、簡単に作製することができるコイル部品を提供する。【解決手段】互いに直交する三方向をそれぞれ上下方向、左右方向、前後方向として、左右方向を巻軸１００方向とする複数のコイル３ａ、３ｂがコア２の脚部２１の周囲に巻回されてなるコイル部品１であって、コアによって、左右方向及び前後方向を含む面内に磁路が形成される。複数のコイルは、前後方向に並列に配置されているとともに、コアと絶縁させた状態でボビン４によって保持される。ボビンには、左右方向で対面する二つの基部４１と、内方にコアの脚部が挿通されるとともに、外方にコイルが巻回される中空筒状の巻軸部４２とを備え、一体成形品からなる二つの同一の絶縁部材４ａ、４ｂが、点対称となるように左右方向で対向配置された状態で組み付けられる。【選択図】図２
2020080355.tif 000002
【特許請求の範囲】
【請求項１】
互いに直交する三方向をそれぞれ上下方向、左右方向、前後方向として、
左右方向を巻軸方向とする複数のコイルがコアの脚部の周囲に巻回されてなるコイル部品であって、
前記コアによって、左右方向及び前後方向を含む面内に磁路が形成され、
前記複数のコイルは、前後方向に並列に配置されているとともに、前記コアと絶縁させた状態でボビンによって保持され、
前記ボビンは、左右方向で対面する二つの基部と、内方に前記コアの脚部が挿通されるとともに、外方にコイルが巻回される中空筒状の巻軸部とを備え、
前記ボビンは、一体成形品からなる二つの同一の絶縁部材が、点対称となるように左右方向で対向配置された状態で組み付けられてなる、
ことを特徴とするコイル部品。
【請求項２】
請求項１に記載のコイル部品であって、
前記絶縁部材は、前記基部に前記コイルの巻軸と、左右両端面に開口する挿通孔とを有し、
前記ボビンは、二つの同一の前記絶縁部材の一方の前記挿通孔の開口端に、他方の前記絶縁部材の前記巻軸部の先端が取り付けられてなる、
ことを特徴とするコイル部品。
【請求項３】
請求項２に記載のコイル部品であって、
前記絶縁部材には、前記巻軸部の側面に、左右方向に延長しつつ先端にて開放する二本一組のスリットが形成され、
前記巻軸部には、前記二本一組のスリットによって舌片が形成され、
当該舌片の先端には、外方に突出する爪が形成され、
前記挿通孔の内周には、前記爪に係合する切欠が形成されている、
ことを特徴とするコイル部品。
【請求項４】
請求項３に記載のコイル部品であって、前記舌片の撓みに伴う前記爪の変位量が、前記巻軸部の内面と、前記巻軸部の内方に挿入されている前記コアの脚部の外面との間隙の幅よりも大きいことを特徴とするコイル部品。
【請求項５】
請求項１〜４のいずれか一項に記載のコイル部品であって、前記コイルは平角線が幅方向に巻回されてなるエッジワイズコイルであることを特徴とするコイル部品。
【発明の詳細な説明】
【技術分野】
【０００１】
本発明は、コイル部品に関する。
【背景技術】
【０００２】
コイル部品には、リアクトルなど、互いに平行な複数の巻軸のそれぞれにコイルが巻回されているとともに、各コイルが、コアと絶縁状態となるようにボビンによって保持されているものがある。ここで、複数の巻軸を備えたコイル部品の一例として、エッジワイズコイルを備えたリアクトルを挙げる。周知のごとく、エッジワイズコイルは、平角線が幅方向に巻回されてなるコイルであり、断面積が大きく、高密度であるという特徴を有する。エッジワイズコイルは、リアクトルを含め、大電流を扱うチョークコイルやトランスなどのコイル部品の小型化、薄型化に寄与する。
【０００３】
図１Ａと図１Ｂとにエッジワイズコイルを備えたリアクトル（以下、コイル部品１０１とも言う）を示した。図１Ａは、コイル部品１０１の外観を示す斜視図であり、図１Ｂは、コイル部品１０１を部品ごとに分解したときの斜視図である。ここで、互いに直交する三方向をそれぞれ上下方向、左右方向、前後方向とし、コイル３の巻軸１００方向を左右方向とし、複数のコイル（３ａ，３ｂ）の並列方向を前後方向とすると、ここに示したコイル部品１０１では、図１Ａに示したように、二つのコイル（３ａ、３ｂ）が前後方向に並列に配置されている。そして、二つのコイル（３ａ、３ｂ）は、樹脂製のボビン１０４により、コア２と絶縁された状態で保持されている。また、各コイル（３ａ、３ｂ）の巻きはじめと巻き終わりのそれぞれの平板状の端部３１は、左右反対方向に向かう方向に屈曲し、その端部３１がボビン１０４に形成されているガイド溝（４４、４５）に嵌め込まれている。なお、コイル（３ａ、３ｂ）の端部３１はそれぞれ左右方向に引き出されてリード端子の役割を担っている。
【０００４】
図１Ｂに示したように、コア２は、Ｕ字状の二つのコア部材（２ａ、２ｂ）を左右方向で互いの脚部２１の端面を対面させてなるＵＵ型である。ボビン１０４は、樹脂の一体成形品からなる二つの絶縁部材（１０４ａ、１０４ｂ）が、左右方向で対向した状態で組み付けられてなる。
【０００５】
ボビン１０４を構成する一方の絶縁部材１０４ａは、上下方向、及び前後方向を左右の鉛直面の各辺とする矩形状の平板に上記のガイド溝（４４、４５）が形成されてなる基部１４１ａと、二つの中空筒状の巻軸部１４２とから構成されている。他方の絶縁部材１０４ｂは、上下方向、及び前後方向を含む面（以下、鉛直面と言うことがある）を有する矩形平板状の基部１４１ｂによって形成されている。
【０００６】
そして、基部１４１ｂのみからなる絶縁部材（以下、第二の絶縁部材１０４ｂと言うことがある）において、他方の絶縁部材（以下、第一の絶縁部材１０４ａと言うことがある）と対面する側に、第一の絶縁部材の巻軸部１４２の先端が取り付けられてボビン１０４が構成される。
【０００７】
第二の絶縁部材１０４ｂには、左右の鉛直面を貫通する二つの孔（以下、挿通孔１４３と言うことがある）が設けられ、二つの挿通孔１４３のそれぞれには、左右一方のコア部材２ｂの脚部２１が挿通される。また、二つの挿通孔１４３の内径は、巻軸部１４２の外径とそれぞれ等しく、二つの絶縁部材（１０４ａ、１０４ｂ）は、両者の接合面において互いに接着固定されている。そして、第一の絶縁部材１０４ａの二つの巻軸部１４２の外周には、平角線が幅方向にＮ巻き分巻回されてなるコイル（３ａ、３ｂ）が環装されている。
【０００８】
なお、以下の非特許文献には、実際に製造、販売されている一般的なコイル部品の特徴や性能などが記載されている。
【先行技術文献】
【非特許文献】
【０００９】
【非特許文献１】株式会社ユニオン電機、”エッジワイズチョークコイル”、[online]、[平成３０年１０月１１日検索]、インターネット＜ＵＲＬ：http://uniondk.jp/wp/wp-content/uploads/2016/09/27AE.pdf＞
【発明の概要】
【発明が解決しようとする課題】
【００１０】
図１Ａ、図１Ｂに示した一般的なコイル部品１０１の製造工程においては、複雑な形状及び構造を有するボビン１０４を一体的に成形することが難しい。このため、第一の絶縁部材１０４ａと第二の絶縁部材１０４ｂという形状が異なる二種類の絶縁部材を組み合わせる方法によって、ボビン１０４を作製している。しかし、この方法によると、各種絶縁部材（１０４ａ、１０４ｂ）を作製する工程において二種類の金型を用意する必要があることから、工程数や費用が嵩むという問題があった。
【００１１】
また、コイル３とコア２とを絶縁する他の方法には、例えばボビン１０４の作製工程において、コア２の脚部２１を金型内に配置してインサート成形を行う方法もある。しかし、この方法には、ボビン４を形成する樹脂材料とコア２を形成するフェライト材料との体膨張率が異なるため、金型内の温度変化に伴って金型内に配置されているコア部材（２ａ、２ｂ）に負荷がかかるという問題や、金型の形状や構造が複雑になり、製造費用が嵩むという問題がある。
【００１２】
そこで本発明は、部品の種類を減少させつつ、簡単に作製することができるコイル部品を提供することを目的としている。
【課題を解決するための手段】
【００１３】
上記目的を達成するための本発明の一態様は、互いに直交する三方向をそれぞれ上下方向、左右方向、前後方向として、左右方向を巻軸方向とする複数のコイルがコアの脚部の周囲に巻回されてなるコイル部品であって、
前記コアによって、左右方向及び前後方向を含む面内に磁路が形成され、
前記複数のコイルは、前後方向に並列に配置されているとともに、前記コアと絶縁させた状態でボビンによって保持され、
前記ボビンには、左右方向で対面する二つの基部と、内方に前記コアの脚部が挿通されるとともに、外方にコイルが巻回される中空筒状の巻軸部とを備え、
前記ボビンは、一体成形品からなる二つの同一の絶縁部材が、点対称となるように左右方向で対向配置された状態で組み付けられてなる、
ことを特徴とするコイル部品である。
【００１４】
前記絶縁部材は、前記基部に前記コイルの巻軸と、左右両端面に開口する挿通孔とを有し、
前記ボビンは、二つの同一の前記絶縁部材の一方の前記挿通孔の開口端に、他方の前記絶縁部材の前記巻軸部の先端が取り付けられてなる、
コイル部品とすることもできる。
【００１５】
さらに、前記絶縁部材には、前記巻軸部の側面に、左右方向に延長しつつ先端にて開放する二本一組のスリットが形成され、
前記巻軸部には、前記二本一組のスリットによって舌片が形成され、
当該舌片の先端には、外方に突出する爪が形成され、
前記挿通孔の内周には、前記爪に係合する切欠が形成されている、
コイル部品とすれば好ましい。
【００１６】
前記舌片の撓みに伴う前記爪の変位量が、前記巻軸部の内面と、前記巻軸部の内方に挿入されている前記コアの脚部の外面との間隙の幅よりも大きいコイル部品とすればより好ましい。
【００１７】
前記コイルは、平角線が幅方向に巻回されてなるエッジワイズコイルであってもよい。
【発明の効果】
【００１８】
本発明によれば、部品の種類を減少させつつ、簡単に作製することができるコイル部品が提供される。
【図面の簡単な説明】
【００１９】
【図１Ａ】従来のコイル部品の外観を示す図である。
【図１Ｂ】上記従来のコイル部品の分解斜視図である。
【図２】本発明の実施例に係るコイル部品の分解斜視図である。
【図３】上記実施例に係るコイル部品が備える舌片を示す図である。
【発明を実施するための形態】
【００２０】
以下、本発明の一実施形態について、添付図面を参照しつつ説明する。なお、以下の説明に用いた図面においては、同一又は類似の部分に同一の符号を付すことによって、重複する説明を省略することがある。また、図面によっては、説明の際に不要な符号を省略することがある。
【００２１】
＝＝＝実施例＝＝＝
本発明の実施例に係るコイル部品は、図１Ａ、図１Ｂに示した従来のコイル部品１０１と同様の基本構造を有する。すなわち、互いに直交する三方向をそれぞれ上下方向、左右方向、前後方向として、左右方向を巻軸方向とする二つのエッジワイズコイルがＵＵ型コアの脚部を磁芯として当該脚部の周囲に環装されてなる。そして、当該二つのコイルがコアと絶縁された状態でボビンに保持されている。しかし、本発明の実施例に係るコイル部品は、部品の種類を減少させるとともに、コイル部品を簡単に作製するための構造を備えている。
【００２２】
図２に、本発明の実施例に係るコイル部品１を示した。図２は、コイル部品１を部品ごとに分解したときの斜視図である。コイル部品１において、ボビン４は、図２に示したように、外側にコイル３が巻回されている一つの中空円筒状の巻軸部４２と、左右方向に貫通している一つの挿通孔４３とからなる二つの同一の絶縁部材（４ａ、４ｂ）が、互いに点対称となるように左右方向に対向して配置され、相互に組み付けられてなる。
【００２３】
絶縁部材（４ａ、４ｂ）は、鉛直面を有する平板にコイル（３ａ、３ｂ）のリード端子３１を保持するガイド溝（４４、４５）が形成された基部４１と巻軸部４２とが一体的に形成されてなる。また、基部４１には、コア２の脚部２１が挿通される挿通孔４３が形成されている。
【００２４】
巻軸部４２には、先端側が開放する二本のスリット４６が巻軸１００方向と平行に設けられており、この二本のスリット４６間に可撓性の舌片４７が形成されている。舌片４７の先端には、巻軸部４２に対して外方に突出する爪４８が形成されている。そして、二つの絶縁部材（４ａ、４ｂ）が組み付けられてなるボビン４では、一方の絶縁部材（４ａ、４ｂ）の巻軸部４２の爪４８が、他方の絶縁部材（４ｂ、４ａ）の挿通孔４３の周囲に形成された切欠４９に係合している。
【００２５】
図３は、組み立てられた状態にあるコイル部品１について、舌片４７の周囲の構成や構造を拡大した図であり、図２におけるａ−ａ矢視断面に対応している。図３に示したように、舌片４７の先端に形成されている爪４８は、巻軸１００方向と直交する方向に突出している。また、挿通孔４３の周縁には、爪４８と等しい幅を有する切欠４９が形成されている。二つの絶縁部材（４ａ、４ｂ）は、この爪４８が切欠４９に嵌着されることによって組み付けられる。
【００２６】
具体的には、一方の絶縁部材（４ａ、４ｂ）の巻軸部４２を、他方の絶縁部材（４ｂ、４ａ）の挿通孔４３に挿通させて、可撓性を有する舌片４７の先端に形成されている爪４８を変位させ、切欠４９に係合させることによって、一方の絶縁部材（４ａ、４ｂ）の巻軸部４２の先端を他方の絶縁部材（４ｂ、４ａ）の挿通孔４３の縁辺に固定することができる。このようにして、二つの絶縁部材（４ａ、４ｂ）同士を簡単に組み付けることができる。その後、二つの絶縁部材（４ａ、４ｂ）の巻軸部４２の内側には、コア部材（２ａ、２ｂ）の脚部２１が左右方向から挿通され、コア部材（２ａ、２ｂ）が絶縁部材（４ａ、４ｂ）に接着固定されることによってコイル部品１が作製される。
【００２７】
ところで、図３に示したように、本実施例のコイル部品１では、コア２の外表面と舌片４７の背面との間の幅Ｄ２が、爪４８を切欠４９に着脱するために必要な舌片４７の変位量Ｄ１よりも小さくなっている。そのため、コイル部品１の組み立て工程において、絶縁部材（４ａ、４ｂ）同士が組み付けられる前で、コア２がボビン４に装着されていない状態では、舌片４７の変形がコア２によって制約されないため、二つの絶縁部材（４ａ、４ｂ）を付き合わせるだけで爪４８が切欠４９に容易に係合する。
【００２８】
一方、絶縁部材（４ａ、４ｂ）同士が組み付けられ、コア２が装着された後では、舌片４７の先端をコア２の外表面よりも右方に変位させることができない。そのため、爪４８と切欠４９との係合状態を容易に解除することができない。その結果、コイル部品１において、組み付けられた絶縁部材（４ａ、４ｂ）同士を確実に固定することができ、二つの絶縁部材（４ａ、４ｂ）同士を接着する工程を省くことができる。
【００２９】
以上説明したように、実施例に係るコイル部品１は、従来のボビン１０４と同等の形状及び構造を保ちつつ、一種類の絶縁部材（４ａ、４ｂ）のみを組み合わせることによってボビン４を作製することができるため、絶縁部材（４ａ、４ｂ）の作製に使用する金型の種類を削減することができる。その結果、金型の作製や管理に要する費用を削減することができる。
【００３０】
また、実施例に係るコイル部品１では、巻軸部４２の左右方向の長さとコア２の脚部２１の長さとを適切に設定することによって、左右のコア部材（２ａ、２ｂ）間のギャップの量を柔軟に設定することができる。また、ギャップを設けるためのスペーサーを省略することもできる。したがって、実施例に係るコイル部品１では、部品点数や工程数をさらに削減することができ、コイル部品１の製造コストを大きく低減させることができる。
【００３１】
なお、実施例に係るコイル部品１は、巻軸部４２に形成された舌片４７の爪４８と、挿通孔４３の切欠４９との係合機構により、組み立てられた状態では、二つの絶縁部材（４ａ、４ｂ）を左右外方に引っ張ってもボビン４が二つの絶縁部材（４ａ、４ｂ）に分解されてしまう可能性は少ない。一方、基部４１を近接させるように双方の絶縁部材（４ａ、４ｂ）を互いに強く押し込むと、一方の絶縁部材（４ａ、４ｂ）の巻軸部４２の先端が他方の絶縁部材（４ｂ、４ａ）の基部４１の左右外方に突出し、左右方向で対面する基部４１間の距離が短くなる可能性がある。そして、例えば、柔軟な巻線で形成されているコイルは、外力によって左右方向の長さが変動し易い。そのため、実施例に係るコイル部品１と同様のボビンを備えたコイル部品であっても、コイルの構成によっては、巻軸部４２の実質的な左右方向の長さが変動する可能性がある。
【００３２】
巻軸部４２の左右方向の長さが変動すれば、コア２に設定されていたギャップの間隔が変動し、電子部品としてのコイル部品１の特性が変動する可能性がある。しかし、実施例のコイル部品１では、形状が変形し難いエッジワイズコイル（３ａ、３ｂ）の左右の端面が基部４１の鉛直面に当接しており、二つの絶縁部材（４ａ、４ｂ）を互いに強く押し込んでも、双方の基部４１間の間隙が変化する可能性が少ない。したがって、エッジワイズコイル（３ａ、３ｂ）を備えた実施例に係るコイル部品１は、ボビン４の形状変化に伴う特性の変動が抑制され、電子部品として高い信頼性を有するものとなっている。
【００３３】
＝＝＝その他の実施例＝＝＝
上記実施例は、本発明の技術的範囲を何ら限定するものではない。本発明は、上記実施例の趣旨を逸脱することなく、変更、改良され得るとともに、本発明にはその等価物が含まれる。
【００３４】
上記実施例では、エッジワイズコイル（３ａ、３ｂ）を用いていたが、コイルは、巻軸部４２に導線が巻回されたものであってもよい。
【００３５】
上記実施例においては、コイル部品１を構成しているコア２を、いわゆるＵＵ型であるとして説明したが、二つのコア部材を組み合わせることによって矩形の閉磁路を形成することができるコアであれば、例えばＵＩ型であってもよい。
【００３６】
上述した実施例におけるコイル部品１は、リアクトルであったが、本発明は、偶数個のコイルを備えているコイル部品にも適用できる。すなわち、二つの絶縁部材のそれぞれが、コイルの数の半数の巻軸部と挿通孔とを備えていればよい。また、本発明は、三相型のリアクトルのように、奇数個のコイルを備えたコイル部品にも適用できる。例えば、ボビンにおける前後中央の巻軸を、前後や左右に対称となるように二分割できるように形成しておけば、奇数個のコイルを備えたコイル部品に適用することができる。
【００３７】
上記実施例に係るコイル部品１は、二つの絶縁部材（４ａ、４ｂ）に、巻軸部４２と挿通孔４３とが形成されて、前後非対称の形状を有していたが、巻軸部４２を左右対称に二分割できるように形成しておき、二つの絶縁部材（４ａ、４ｂ）に、左右方向の長さが本来の巻軸部４２の半分の長さの巻軸部を形成しておけばよい。
【００３８】
上述した実施例において、コイル部品１に設けられている爪の数や形状、配置などは例示に過ぎず、爪の数や形状、配置などの具体的構成は、適宜に変更することができる。
【符号の説明】
【００３９】
１，１０１  コイル部品、２  コア、２ａ，２ｂ  コア部材、
３，３ａ，３ｂ  コイル、４，１０４  ボビン、４ａ，４ｂ  絶縁部材、
２１  脚部、３１  リード端子、４１，１４１ａ、１４１ｂ  基部、
４２，１４２  巻軸部、４３，１４３  挿通孔、４４、４５  ガイド溝、
４６  スリット、４７  舌片、４８  爪、４９  切欠、
１００，１００ａ，１００ｂ  巻軸、１０４ａ  第一の絶縁部材、
１０４ｂ  第二の絶縁部材、Ｄ１  変位量、Ｄ２  間隙
【図１Ａ】
2020080355.tif 000003
【図１Ｂ】
2020080355.tif 000004
【図２】
2020080355.tif 000005
【図３】
2020080355.tif 000006